(57)【要約】【課題】  細かい異物を除去できると共に、シール摺動時の摩擦熱やシール摩耗を抑制してシール性能の向上を図れる防塵効果に優れた直動案内軸受装置を提供する。【解決手段】  スライダ２の軸方向の端部に設けられ、案内レール１に摺接してスライダ２の軸方向の端部をシールするシール部材１５を備えた直動案内軸受装置であって、シール部材１５を多孔質のフェルト材から形成して潤滑剤を含浸させ、且つスライダ２の軸方向に複数枚配置すると共に各シール部材１５の密度を異ならせる。【選択図】      図１
2006057795.tif 000002
【特許請求の範囲】
【請求項１】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に設けられ、前記案内レールに摺接して前記スライダの軸方向の端部をシールするシール部材とを備えた直動案内軸受装置であって、
前記シール部材を多孔質のフェルト材から形成すると共に前記スライダの軸方向に複数枚配置し、且つ少なくとも２つのシール部材の密度を異ならせたことを特徴とする直動案内軸受装置。
【請求項２】
前記シール部材に潤滑剤を含浸させたことを特徴とする請求項１に記載した直動案内軸受装置。
【発明の詳細な説明】
【技術分野】
【０００１】
本発明は、例えば工作機械や搬送装置等に用いられる直動案内軸受装置に関する。
【背景技術】
【０００２】
従来の直動案内軸受装置としては、例えば図３に示すものが知られている。
この直動案内軸受装置は、軸方向に延びる案内レール１と、該案内レール１上に軸方向に相対移動可能に跨架されたスライダ２とを備える。
案内レール１の両側面にはそれぞれ軸方向に延びる転動体転動溝３が形成されており、スライダ２のスライダ本体２Ａには、その両袖部４の内側面に、それぞれ転動体転動溝３に対向する転動体転動溝７が形成されている。そして、これらの向き合った両転動体転動溝３，７の間には転動体の一例としての多数のボールＢが転動自在に装填され、これらのボールＢの転動を介してスライダ２が案内レール１上を軸方向に沿って相対移動できるようになっている。
【０００３】
この移動につれて、案内レール１とスライダ２との間に介在するボールＢは転動してスライダ２の端部に移動するが、スライダ２を軸方向に継続して移動させていくためには、これらのボールＢを無限に循環させる必要がある。
このため、スライダ本体２Ａの袖部４内に軸方向に貫通する転動体通路８を形成すると共に、スライダ本体２Ａの両端にそれぞれ略コ字状のエンドキャップ５を例えばねじ１２等の固定手段を介して固定し、このエンドキャップ５に上記両転動体転動溝３，７間と上記転動体通路８とを連通する半円弧状に湾曲した方向転換路６を形成することにより、転動体無限循環軌道を形成している。なお、図３において、符号１１はエンドキャップ５と共にスライダ本体２Ａの端面にねじ１２等を介して固定されたサイドシール、１０はスライダ本体２Ａの端面に形成されたねじ１２のタップ穴、１３は給脂用ニップル、１４は案内レール１の固定用のボルト挿通穴である。
【発明の開示】
【発明が解決しようとする課題】
【０００４】
上記従来の直動案内軸受装置においては、スライダ２の端部をシールするサイドシール１１がゴムシールであるため、細かい異物を完全に除去することが難しく、また、サイドシール１１と案内レール１との摺動摩擦による発熱や、摺動時のリップ摩耗によるシール性能の低下で十分な防塵効果が得られないという問題がある。
本発明はこのような不都合を解消するためにされたものであり、細かい異物を除去することができると共に、シール摺動時の摩擦熱やシール摩耗を抑制してシール性能の向上を図ることができる防塵効果に優れた直動案内軸受装置を提供することを目的とする。
【課題を解決するための手段】
【０００５】
上記目的を達成するために、請求項１に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に設けられ、前記案内レールに摺接して前記スライダの軸方向の端部をシールするシール部材とを備えた直動案内軸受装置であって、
前記シール部材を多孔質のフェルト材から形成すると共に前記スライダの軸方向に複数枚配置し、且つ少なくとも２つのシール部材の密度を異ならせたことを特徴とする。
請求項２に係る発明は、請求項１において、前記シール部材に潤滑剤を含浸させたことを特徴とする。
【発明の効果】
【０００６】
請求項１の発明によれば、スライダの軸方向の端部をシールするシール部材を多孔質のフェルト材から形成しているので、細かい異物やゴミを効果的に除去することができると共に、案内レールとのシール摩擦力が低下して摺動摩擦による発熱や摺動時のリップ摩耗を抑制することができ、これにより、シール性能が向上して優れた防塵効果を得ることができる。
また、シール部材をスライダの軸方向に複数枚配置して少なくとも２つのシール部材の密度を異ならせているので、比較的高強度の密度の高いシール部材で硬度の高い異物を効果的に除去することができる。
【０００７】
請求項２の発明では、請求項１の発明に加えて、シール部材に潤滑剤を含浸させることにより、防塵効果と共に潤滑効果を持つことができ、しかも、密度の高いシール部材は潤滑剤の供給速度が速く、密度の低いシール部材ほど潤滑剤の供給速度は遅くなる特性を持つため、用途に応じて各シール部材の密度を変更することで用途に合った潤滑性能を得ることができる。
【発明を実施するための最良の形態】
【０００８】
以下、本発明の実施の形態の一例を図を参照して説明する。図１は本発明の実施の形態の一例である直動案内軸受装置の要部を説明するための一部を破断した斜視図、図２は潤滑剤供給部材の一例を示す図である。なお、この実施の形態では、既に図３で説明した従来の直動案内軸受装置と重複する部分については、各図に同一符号を付してその説明を省略する。
【０００９】
本発明の実施の形態の一例である直動案内軸受装置は、図１に示すように、案内レール１の転動体転動溝３に摺接してスライダ２の軸方向の端部をシールするシール部材１５が、エンドキャップ５の外面側にケース２０内に収容された状態でスライダ２の軸方向に複数枚配置されている。
シール部材１５は潤滑油又はグリース等の潤滑剤を含有する例えば合成樹脂等の繊維からなる多孔質のフェルト材から形成されており、図２に示すように、エンドキャップ５と同様の略コ字状に形成され、コ字状両端部内側には案内レール１の転動体転動溝３に摺接して潤滑剤を供給する摺接部１７が突設されている。また、少なくとも２つのシール部材１５，本実施の形態では各シール部材１５は密度を異ならせている。
【００１０】
このようにこの実施の形態では、スライダ２の軸方向の端部をシールするシール部材１５を多孔質のフェルト材から形成しているので、細かい異物やゴミを効果的に除去することができると共に、案内レール１とのシール摩擦力が低下して摺動摩擦による発熱や摺動時のリップ摩耗を抑制することができ、これにより、シール性能が向上して優れた防塵効果を得ることができる。
【００１１】
また、シール部材１５をスライダ２の軸方向に複数枚配置して各シール部材１５の密度を異ならせているので、比較的高強度の密度の高いシール部材１５で硬度の高い異物を効果的に除去することができる。
更に、シール部材１５に潤滑剤を含浸させているので、防塵効果と共に潤滑効果を持つことができ、しかも、密度の高いシール部材１５は潤滑剤の供給速度が速く、密度の低いシール部材１５ほど潤滑剤の供給速度は遅くなる特性を持つため、用途に応じて各シール部材１５の密度を変更することで用途に合った潤滑性能を得ることができる。
なお、本発明は上記実施の形態に限定されるものではなく、本発明の要旨を逸脱しない範囲において適宜変更可能である。
【図面の簡単な説明】
【００１２】
【図１】本発明の実施の形態の一例である直動案内軸受装置の要部を説明するための一部を破断した斜視図である。
【図２】潤滑剤供給部材の一例を示す図である。
【図３】従来の直動案内軸受装置を説明するための一部を破断した斜視図である。
【符号の説明】
【００１３】
１  案内レール
２  スライダ
３  転動体転動溝（案内レール側）
７  転動体転動溝（スライダ側）
Ｂ  ボール（転動体）
１５  シール部材
１７  摺接部
【図１】
2006057795.tif 000003
【図２】
2006057795.tif 000004
【図３】
2006057795.tif 000005